(57)【特許請求の範囲】
【請求項１】
入力器により発生される磁界を検出することで、前記入力器の座標を検出する座標検出装置であって、
前記入力器によって発生された第１種の磁界に対応して、前記入力器から前記座標検出装置に情報を入力するための第１信号を発生する第１信号発生部と、
前記入力器によって発生された第２種の磁界に対応して、前記入力器が前記座標検出装置に接近したことを検出するための第２信号を発生する第２信号発生部と、
前記第１信号発生部が発生した前記第１信号に従い前記入力器の座標を検出するための第１検出回路部と、
前記第２信号発生部から前記第２信号が取得された場合、電力を供給する電源から前記第１検出回路部への電力の供給を開始する電力制御部と、
前記第１信号発生部と、前記第２信号発生部とを含むシートと、を備え、
前記第２信号発生部は、
前記第１信号発生部が配置される領域の内側で、前記シートの外形を形成する第１辺部に沿って配置される第１部分と、
前記第１信号発生部が配置される領域の内側で、前記シートの外形を形成し、前記第１辺部と連続した第２辺部に沿って配置される第２部分と、
前記第１部分と前記第２部分とを繋ぎ、前記第１信号発生部が配置される領域の内側から外側に突出し、前記第１辺部と前記第２辺部とが接する前記シートの外形における角部に対応して配置される第３部分と、を含み、
前記第１部分と前記第１辺部との間の最短距離と、前記第２部分と前記第２辺部との間の最短距離と、前記第３部分における突出端部と前記角部との間の最短距離と、が等しい距離に設定されていることを特徴とする座標検出装置。
【請求項２】
前記電力制御部は、前記第１信号発生部から前記第１信号または前記第２信号発生部から前記第２信号が所定時間の間取得されない場合、前記第１検出回路部への電力の供給を遮断することを特徴とする請求項１に記載の座標検出装置。
【請求項３】
前記第１信号発生部は、前記第１信号を発生する複数の第１コイルを含み、
前記第２信号発生部は、前記第２信号を発生する第２コイルを含むことを特徴とする請求項１または請求項２に記載の座標検出装置。
【請求項４】
前記座標検出装置は、さらに、前記電源と前記第１検出回路部との電気的接続状態を、前記電源と前記第１検出回路部とが接続された接続状態と、前記電源と前記第１検出回路部とが遮断された遮断状態とに切り替えるスイッチ部を備え、
前記電力制御部は、前記第２信号発生部から前記第２信号が取得された場合、前記スイッチ部を遮断状態から接続状態とし、前記第１検出回路部への電力の供給を開始することを特徴とする請求項１から請求項３のいずれか１項に記載の座標検出装置。
【請求項５】
前記電力制御部は、前記第２信号発生部から前記第２信号が取得された場合、前記スイッチ部を遮断状態から接続状態とし、前記第１検出回路部への電力の供給を開始し、前記第１信号発生部から前記第１信号または前記第２信号発生部から前記第２信号が所定時間の間取得されない場合、前記スイッチ部を接続状態から遮断状態とし、前記第１検出回路部への電力の供給を遮断することを特徴とする請求項４に記載の座標検出装置。
【請求項６】
前記第１信号発生部は、前記第１信号を出力するための第１出力部と、前記第１信号発生部とグランドとを接続するための第２出力部と、を含み、
前記座標検出装置は、並列して配置された少なくとも２つの前記第１信号発生部を備え、
少なくとも２つの前記第１信号発生部それぞれの前記第１出力部は、共通のセレクタ素子に接続され、
少なくとも２つの前記第１信号発生部それぞれの前記第２出力部は、共通のグランドに接続されることを特徴とする請求項１から請求項５のいずれか１項に記載の座標検出装置。
【請求項７】
前記座標検出装置は、前記シートとして、
前記第１信号発生部と、前記第２信号発生部とを含む第１シートと、
前記第１シートと異なるシートであって、前記第１シートが含む前記第１信号発生部および前記第２信号発生部とは異なる前記第１信号発生部および前記第２信号発生部を含む第２シートと、を含み、
前記第１シートと前記第２シートとは隣接して配置され、
前記第１シートおよび前記第２シートそれぞれは、
前記第２信号発生部により発生された前記第２信号に従い、前記入力器が前記座標検出装置に接近したことを検出するための第２検出回路部と接続され、
前記電力制御部は、
前記第１シートの前記第２信号発生部から前記第２信号が取得された場合、前記第１シートの前記第２信号発生部と、前記第１シートの前記第２検出回路部との接続を遮断し、
前記第２シートの前記第２信号発生部から前記第２信号が取得された場合、前記第２シートの前記第２信号発生部と、前記第２シートの前記第２検出回路部との接続を遮断することを特徴とする請求項１から請求項６のいずれか１項に記載の座標検出装置。
【発明の詳細な説明】
【技術分野】
【０００１】
本発明は、入力器により発生される磁界を検出することで、入力器の座標を検出する座標検出装置に関するものである。
【背景技術】
【０００２】
従来から、各種の装置について、その装置が消費する電力を低減させるための検討がなされている。例えば、位置検出装置に関する提案がなされている（例えば、特許文献１参照）。特許文献１の位置検出装置は、タブレットと、位置指示器とを備える。タブレットは、制御信号送信手段と、検出手段とを有する。制御信号送信手段は、位置指示器に対してその動作を開始させるための制御信号を送信する。検出手段は、位置指示器からの信号に基づいて位置指示器の指示位置を検出する。また、位置指示器は、電池と、制御信号検出手段と、電源制御手段とを有する。電池は、その回路要素に電源を供給する。制御信号検出手段は、タブレットからの制御信号を検出する。電源制御手段は、制御信号検出手段で検出した制御信号に基づき電池からの回路要素に対する電源供給をオンまたはオフ状態に制御する。このように構成されたタブレットと位置指示器とを備える位置検出装置では、ユーザが位置指示器を使用する場合に位置指示器の電源はオンされる。
【先行技術文献】
【特許文献】
【０００３】
【特許文献１】特開２００５−１４９１４０号公報
【発明の概要】
【発明が解決しようとする課題】
【０００４】
ところで、特許文献１のような構成によれば、位置指示器のような入力器が、入力器の座標（位置）を検出するタブレットのような座標検出装置に対して所定の範囲内に置かれたことを検出しつづけなければならない。この場合、常に座標検出装置の全体に電源が供給されることになる。したがって、座標検出装置への入力器による入力がないときでも電力を消費してしまうという問題点があった。
【０００５】
本発明は、消費電力を低減することが可能な、入力器の座標を検出する座標検出装置を提供することを目的とする。
【課題を解決するための手段】
【０００６】
上記従来の課題に鑑みなされた本発明の一側面は、入力器により発生される磁界を検出することで、前記入力器の座標を検出する座標検出装置であって、前記入力器によって発生された第１種の磁界に対応して、前記入力器から前記座標検出装置に情報を入力するための第１信号を発生する第１信号発生部と、前記入力器によって発生された第２種の磁界に対応して、前記入力器が前記座標検出装置に接近したことを検出するための第２信号を発生する第２信号発生部と、前記第１信号発生部が発生した前記第１信号に従い前記入力器の座標を検出するための第１検出回路部と、前記第２信号発生部から前記第２信号が取得された場合、電力を供給する電源から前記第１検出回路部への電力の供給を開始する電力制御部と、前記第１信号発生部と、前記第２信号発生部とを含むシートと、を備え、前記第２信号発生部は、前記第１信号発生部が配置される領域の内側で、前記シートの外形を形成する第１辺部に沿って配置される第１部分と、前記第１信号発生部が配置される領域の内側で、前記シートの外形を形成し、前記第１辺部と連続した第２辺部に沿って配置される第２部分と、前記第１部分と前記第２部分とを繋ぎ、前記第１信号発生部が配置される領域の内側から外側に突出し、前記第１辺部と前記第２辺部とが接する前記シートの外形における角部に対応して配置される第３部分と、を含み、前記第１部分と前記第１辺部との間の最短距離と、前記第２部分と前記第２辺部との間の最短距離と、前記第３部分における突出端部と前記角部との間の最短距離と、が等しい距離に設定されていることを特徴とする座標検出装置である。これによれば、第１検出回路部への電力の供給を、入力器が座標検出装置に接近した場合に開始させることができる。すなわち、入力器の状態に応じて、第１検出回路部に対する電力の供給の開始を制御することができる。第１信号発生部を備える座標検出装置に入力器が接近したことを好適に検出することができる。第１信号発生部が配置される領域の内側から外側に突出した第２信号発生部の第３部分において、入力器の接近を好適に検出することができる。入力器がシートの角部の方向から座標検出装置に接近してきたとしても、入力器の接近の検出が遅延することを防止することができる。
【０００７】
この座標検出装置は、次のような構成とすることもできる。すなわち、前記電力制御部は、前記第１信号発生部から前記第１信号または前記第２信号発生部から前記第２信号が所定時間の間取得されない場合、前記第１検出回路部への電力の供給を遮断することを特徴としてもよい。これによれば、所定時間の間、入力器から情報が入力されず、また入力器の接近が検出されない場合、第１検出回路部への電力の供給を遮断することができる。すなわち、入力器の状態に応じて、第１検出回路部に対する電力の供給の開始または遮断を制御することができる。
【０００８】
また、前記第１信号発生部は、前記第１信号を発生する複数の第１コイルを含み、前記第２信号発生部は、前記第２信号を発生する第２コイルを含むことを特徴としてもよい。これによれば、入力器によって発生された第１種の磁界に対応して第１コイルで発生した第１信号に従い入力器の座標を検出することができる。また、入力器によって発生された第２種の磁界に対応して第２コイルで発生した第２信号が取得された場合、電源から第１検出回路部への電力の供給を開始することができる。
【００１１】
また、前記座標検出装置は、さらに、前記電源と前記第１検出回路部との電気的接続状態を、前記電源と前記第１検出回路部とが接続された接続状態と、前記電源と前記第１検出回路部とが遮断された遮断状態とに切り替えるスイッチ部を備え、前記電力制御部は、前記第２信号発生部から前記第２信号が取得された場合、前記スイッチ部を遮断状態から接続状態とし、前記第１検出回路部への電力の供給を開始することを特徴としてもよい。これによれば、スイッチ部によって、第１検出回路部への電力の供給または遮断を切り替えることができる。すなわち、入力器の状態に応じて、スイッチ部を介した第１検出回路部に対する電力の供給の開始を制御することができる。
【００１２】
また、前記電力制御部は、前記第２信号発生部から前記第２信号が取得された場合、前記スイッチ部を遮断状態から接続状態とし、前記第１検出回路部への電力の供給を開始し、前記第１信号発生部から前記第１信号または前記第２信号発生部から前記第２信号が所定時間の間取得されない場合、前記スイッチ部を接続状態から遮断状態とし、前記第１検出回路部への電力の供給を遮断することを特徴としてもよい。これによれば、入力器の接近が検出された場合、スイッチ部によって第１検出回路部への電力の供給を開始し、所定時間の間、入力器から情報が入力されず、入力器の接近が検出されない場合、スイッチ部によって第１検出回路部への電力の供給を遮断することができる。すなわち、入力器の状態に応じて、スイッチ部を介した第１検出回路部に対する電力の供給の開始または遮断を制御することができる。
【００１３】
また、前記第１信号発生部は、前記第１信号を出力するための第１出力部と、前記第１信号発生部とグランドとを接続するための第２出力部と、を含み、前記座標検出装置は、並列して配置された少なくとも２つの前記第１信号発生部を備え、少なくとも２つの前記第１信号発生部それぞれの前記第１出力部は、共通のセレクタ素子に接続され、少なくとも２つの前記第１信号発生部それぞれの前記第２出力部は、共通のグランドに接続されることを特徴としてもよい。これによれば、消費電力をさらに低減することができる。
【００１４】
また、前記座標検出装置は、前記シートとして、前記第１信号発生部と、前記第２信号発生部とを含む第１シートと、前記第１シートと異なるシートであって、前記第１シートが含む前記第１信号発生部および前記第２信号発生部とは異なる前記第１信号発生部および前記第２信号発生部を含む第２シートと、を含み、前記第１シートと前記第２シートとは隣接して配置され、前記第１シートおよび前記第２シートそれぞれは、前記第２信号発生部により発生された前記第２信号に従い、前記入力器が前記座標検出装置に接近したことを検出するための第２検出回路部と接続され、前記電力制御部は、前記第１シートの前記第２信号発生部から前記第２信号が取得された場合、前記第１シートの前記第２信号発生部と、前記第１シートの前記第２検出回路部との接続を遮断し、前記第２シートの前記第２信号発生部から前記第２信号が取得された場合、前記第２シートの前記第２信号発生部と、前記第２シートの前記第２検出回路部との接続を遮断することを特徴としてもよい。これによれば、入力器の接近を検出した第１シートまたは第２シートと、その第１シートまたは第２シートに接続された第２検出回路部との接続を遮断することで、不必要なスキャンをなくし、座標検出装置の消費電力を低減することができる。
【発明の効果】
【００１５】
本発明によれば、消費電力を低減することが可能な、入力器の座標を検出する座標検出装置を得ることができる。
【図面の簡単な説明】
【００１６】
【図１】電子ペンと座標検出装置とを含む手書き入力システムの外観を示す図である。
【図２】電子ペンと座標検出装置との回路構成を示す図である。
【図３】座標検出装置が備えるコイルシートに含まれるセンスコイルと接近検出コイルとを示す図である。
【図４】接近検出コイルの配置を示す説明図である。
【図５】（ａ）は、Ｘ軸方向のセンスコイルＸ１〜Ｘ３の一部を示す説明図である。（ｂ）は、図５（ａ）に示すセンスコイルＸ１〜Ｘ３に発生する電圧とＸ軸方向の距離との関係を示すグラフである。（ｃ）は、図５（ａ）に示すセンスコイルＸ１〜Ｘ３の相互に隣接するセンスコイル間の電圧差を示すグラフである。
【図６】（ａ）は、位置座標テーブルをグラフ化して示す説明図である。（ｂ）は、位置座標テーブルの説明図である。
【図７】（ａ）は、電子ペンの位置と接近検出コイルで発生する信号の電圧との関係を示すグラフであり、（ｂ）は、電子ペンとコイルシートとの位置関係を示す図である。
【図８】座標検出装置で実行される処理のフローチャートを示す図である。
【図９】（ａ）は、１枚のコイルシートに含まれるセンスコイルと、位置検出回路のマルチプレクサとの接続形態を示す図である。（ｂ）および（ｃ）は、２枚のコイルシートそれぞれに含まれるセンスコイルと、マルチプレクサとの接続形態を示す図である。
【図１０】図９（ｃ）の構成を備える座標検出装置で実行される処理のフローチャートを示す図である。
【図１１】他のコイルシートに含まれるセンスコイルと接近検出コイルとを示す図である。
【図１２】図１１に示す他のコイルシートと、マルチプレクサとの接続形態を示す図である。
【発明を実施するための形態】
【００１７】
本発明を実施するための実施形態について、図面を用いて以下に詳細に説明する。本発明は、以下に記載の構成に限定されるものではなく、同一の技術的思想において種々の構成を採用することができる。例えば、以下に示す構成の一部は、省略しまたは他の構成などに置換してもよい。また、他の構成を含むようにしてもよい。
【００１８】
本実施形態の手書き入力システム１０は、図１に示すように、電子ペン２０と座標検出装置５０とを備える。手書き入力システム１０では、ユーザが電子ペン２０を持つ。電子ペン２０は、保存される座標データの入力器として機能する。そして、座標検出装置５０は、コイルシート１０１と、コイルシート１０２とを備える。例えば座標検出装置５０に重なるように置かれたノート１２などの筆記面１４に、電子ペン２０により、手書き文字、図形などが描かれる。電子ペン２０により描かれた手書き文字、図形などが、電子的なストロークデータとして保存される。なお、図１に示す手書き入力システム１０では、見開き状態にあるノート１２の両面に対してコイルシート１０１とコイルシート１０２とがセットされている。電子ペン２０により記載された手書き文字、図形が、座標検出装置５０により検出されて保存される方法の詳細は、後述する。
【００１９】
電子ペン２０は、保存される座標データの入力器として機能する。ユーザが、手書き入力システム１０を使用する際には、電子ペン２０に備えられた不図示の電源スイッチがオンされる。電子ペン２０は、図２に示すように、ＬＣ発振回路２２と、先端スイッチ（先端ＳＷ）２４と、電池２６とを有する。ＬＣ発振回路２２は、磁界（交番磁界）を発生させる回路である。ＬＣ発振回路２２は、コンデンサを含む。ＬＣ発振回路２２で発生される磁界の周波数は、先端スイッチ２４のオンまたはオフに基づき、コンデンサの容量を変化させることで変更される。先端スイッチ２４がオンの場合、ＬＣ発振回路２２によって発生される磁界は、オフの場合とは異なる特定の周波数ｆ１となる。一方、先端スイッチ２４がオフの場合、ＬＣ発振回路２２によって発生される磁界は、特定の周波数ｆ２となる。なお、以下では、先端スイッチ２４がオンの場合にＬＣ発振回路２２から発生される磁界の周波数ｆ１を入力周波数ともいう。また、先端スイッチ２４がオフの場合にＬＣ発振回路２２から発生される磁界の周波数ｆ２を接近周波数ともいう。ＬＣ発振回路２２で発生された磁界は座標検出装置５０で検出される。ｆ２＜ｆ１とすることにより接近周波数ｆ２の磁界を発生する際の消費電力を低減することができる。
【００２０】
先端スイッチ２４は、発生させる磁界の周波数を変更するための指令信号２８を、ＬＣ発振回路２２に対して出力するスイッチである。例えば、ユーザが、電子ペン２０を用いて、文字などを記述するために電子ペン２０の先端２０２を筆記面１４に押しつけたとき、先端スイッチ２４がオンとなる。そして、前述の指令信号２８が出力される。また、ユーザが、文字などの記述を止め、電子ペン２０の先端２０２を筆記面１４から離したとき、先端スイッチ２４はオフとされる。この場合、指令信号２８は出力されず、ＬＣ発振回路２２によって発生される磁界の周波数は、変更前の接近周波数ｆ２に戻る。電池２６は、ＬＣ発振回路２２に電力を供給する。不図示の電源スイッチがオンにされることで、電池２６は、ＬＣ発振回路２２に電量を供給する。
【００２１】
座標検出装置５０は、図２に示すように、マイコン５２と、コイルシート１０１，１０２と、接近検出回路５６と、位置検出回路５８と、周辺回路６０と、電池６２、スイッチ部６４とを備える。マイコン５２と、接近検出回路５６、位置検出回路５８、周辺回路６０とは、信号ラインを介して伝送可能に接続されている。コイルシート１０１，１０２と、接近検出回路５６および位置検出回路５８とは、信号ラインを介して接続されている。同じく、接近検出回路５６、位置検出回路５８および周辺回路６０と電池６２とは、スイッチ部６４を介して電力ラインによって接続されている。
【００２２】
マイコン５２は、ＣＰＵ、ＲＯＭおよびＲＡＭと、カウンタ、タイマー、Ａ／Ｄ変換機能、割り込み機能などとを一つの集積回路として構成したものである。マイコン５２は、座標検出装置５０で実行される各種の処理を制御する。例えば、マイコン５２は、スリープモードと、ノーマルモードとを切り替える。スリープモードは、低消費電力モードで、座標検出装置５０を休止状態にするモードである。ノーマルモードは、座標検出装置５０が、電子ペン２０により発生された磁界を検出し、ストロークデータを保存する通常動作を行うモードである。マイコン５２はスイッチ部６４を制御し、スリープモードとノーマルモードとを切り替えながら、接近検出回路５６、位置検出回路５８および周辺回路６０の動作状態を制御する。具体的に、マイコン５２からの制御信号７０により各回路はスリープモードとノーマルモードとが切替られる。スリープモードでは各回路が休止状態となるため、電力が消費されない（電力消費が低減される）。また、マイコン５２自身も前述したようなスリープモードでは電力消費が小さくなる。スリープモードでは後述するように接近検出回路５６からの解除信号８０による割り込み処理が実行されてノーマルモードに切り替えられる。マイコン５２は、詳細に後述する図８に示す処理を実行する。マイコン５２が所定の処理を実行することで、所定の機能手段が構成される。本実施形態のノーマルモードと、スリープモードとを切り替える実現手段の詳細は後述する。
【００２３】
図２に示すコイルシート１０１とコイルシート１０２とは、図１に示すようにノート１２の見開き方向に並列（隣接）して配置されている。コイルシート１０１とコイルシート１０２とはそれぞれ、図３に示すように、センスコイル５４２と、接近検出コイル５４４とを含む。コイルシート１０１とコイルシート１０２とはそれぞれ、図３に示すように配置されたセンスコイル５４２および接近検出コイル５４４を導電性インクで印刷形成し、例えば外形が長方形の外観を有する薄板状の構成である。なお、図３では、センスコイル５４２が破線で示され、接近検出コイル５４４が実線で示されている。
【００２４】
センスコイル５４２は、図３に示すように、Ｘ軸方向に配列されたｍ個のループ状のセンスコイルＸ１〜Ｘｍと、Ｙ軸方向に配列されたｎ個のループ状のセンスコイルＹ１〜Ｙｎとによって構成されている。センスコイル５４２を構成するセンスコイルＸ１〜ＸｍとセンスコイルＹ１〜Ｙｎとは、電子ペン２０によって発生された磁界に対応して、電子ペン２０から座標検出装置５０に情報を入力するための信号９２（図２参照）を発生する。センスコイルＸ１〜ＸｍとセンスコイルＹ１〜Ｙｎとは、例えば表面に絶縁被膜層が形成された銅線によって形成されている。
【００２５】
センスコイルＸ１〜Ｘｍそれぞれは、Ｘ軸方向の幅Ｐ１の辺と、Ｐ１より長いＹ軸方向の長さＰ２の辺とからなり、コーナー部を円弧形状（Ｒ形状）とした略長方形状に形成されている。コイル形状はこれに限らない。センスコイルＹ１〜Ｙｎそれぞれは、Ｘ軸方向の幅Ｐ３の辺と、Ｐ３より短いＹ軸方向の長さＰ１の辺とからなり、コーナー部を円弧形状（Ｒ形状）とした略長方形状に形成されている。センスコイルＸ１〜Ｘｍと、センスコイルＹ１〜Ｙｎとは交差、具体的には直交した位置関係で配置されている。センスコイルＸ１〜Ｘｍそれぞれは、所定の一定ピッチでＸ軸方向に連続して配列されている。同様に、センスコイルＹ１〜Ｙｎそれぞれは、所定の一定ピッチでＹ軸方向に連続して配列されている。例えば、隣接するセンスコイルＸ１〜Ｘｍは、Ｐ１の２分の１のピッチでそれぞれ重ねられている。同じく隣接するセンスコイルＹ１〜Ｙｎは、Ｐ１の２分の１のピッチでそれぞれ重ねられている。なお、図３では、センスコイルＸ１〜ＸｍとセンスコイルＹ１〜Ｙｎとの各辺が重ならないようにしているため、このようなピッチで配列された状態では図示されていない。センスコイルＸ１〜ＸｍとセンスコイルＹ１〜Ｙｎとは、それぞれの一端である各引出線５４３ａが、後述する位置検出回路５８のマルチプレクサ（multiplexer、以下、「ＭＵＸ」ともいう。）５８２に接続される。一方、他端である各引出線５４３ｂはグランドに接続される。また、センスコイルＸ１〜Ｘｍ、Ｙ１〜Ｙｍの形状は、上記で示したものに限らない。例えば、コーナー部が直角である長方形状であってもよいし、略楕円形状であってもよい。
【００２６】
接近検出コイル５４４は、電子ペン２０の先端スイッチ２４がオフの状態でＬＣ発振回路２２から発生された接近周波数ｆ２の磁界との磁気誘導によって信号７２（図２参照）を発生する。図３に示すようにセンスコイル５４２とは異なり、接近検出コイル５４４は、一つのループ状のコイルによって構成されている。なお、図３では図示を省略しているが、接近検出コイル５４４にも、上述したセンスコイル５４２の引出線５４３ａ，５４３ｂのような引出線が形成されている。そして、接近検出コイル５４４の一端は、後述する接近検出回路５６、詳細にはバンドパスフィルタ５６２に接続され、他端はグランドに接続されている。
【００２７】
また、センスコイル５４２は、図４に示すセンスコイル領域Ｓ（図４でハッチングされた領域Ｓ参照）を形成する。センスコイル領域Ｓは、Ｘ軸方向の２つの線分と、Ｙ軸方向の２つの線分とによって形成されている。Ｘ軸方向の各線分は、センスコイルＸ１〜Ｘｍの幅Ｐ１の辺の部分をＸ軸方向に連結して形成される。Ｙ軸方向の各線分は、センスコイルＹ１〜Ｙｎの長さＰ１の辺の部分をＹ軸方向に連結して形成される。接近検出コイル５４４の一部である部分５４４ａ，５４４ｂ，５４４ｃ，５４４ｄは、センスコイル領域Ｓの内側に配置されている。部分５４４ａ〜５４４ｄは、長方形の形状をしたコイルシート１０１，１０２の外形に沿って配置されている部分である。また、部分５４４ａ〜５４４ｄは、センスコイル領域Ｓの外側に配置してもよい。このような構成によれば、接近検出コイル５４４の検出範囲を広くすることができ、電子ペン２０の接近を素早く検知できる。
【００２８】
また、接近検出コイル５４４の他の一部である部分５４４ｅ，５４４ｆ，５４４ｇ，５４４ｈは、センスコイル領域Ｓの内側から外側に突出して配置されている。部分５４４ｅ〜５４４ｈは、長方形の形状をしたコイルシート１０１，１０２の四隅に対応して配置されている部分である。ところで、接近検出コイル５４４は、部分５４４ｅ〜５４４ｈを形成することなく、部分５４４ａ〜５４４ｄによって、全周がコイルシート１０１，１０２の外形に沿った形状とすることもできる。ただし、このような形状の接近検出コイルでは、コイルシート１０１，１０２の四隅部分と、これ以外の部分とで、接近検出コイルとの距離が変化することとなる。つまり、コイルシート１０１，１０２の四隅部分と、これに対応する部分、具体的には互いに接する二辺（例えば、部分５４４ａと部分５４４ｄとに対応する２つの部分）によって形成される接近検出コイルの四隅部分との距離が、図４に示すＬ１と比較して長くなる。したがって、電子ペン２０がコイルシート１０１，１０２の四隅部分の方向から座標検出装置５０に接近してきた場合、これ以外の部分の方向から接近してきた場合と比較し、電子ペン２０の接近の検出が遅延してしまう。
【００２９】
この点に関し、接近検出コイル５４４では、部分５４４ｅ〜５４４ｈをコイルシート１０１，１０２の四隅部分側に突出させ、図４に示すＬ２がＬ１と同一または同等となるように設定されている。そのため、電子ペン２０がコイルシート１０１，１０２の四隅部分の方向から座標検出装置５０に接近してきたとしても、電子ペン２０の接近の検出が遅延することを防止することができる。なお、図３に示すＸ軸方向は、例えば図１に示すノート１２の見開き方向に一致する。したがって、コイルシート１０１に含まれるセンスコイル５４２と、コイルシート１０２に含まれるセンスコイル５４２とは、ノート１２の見開き方向に並列して配置されている。同じく、コイルシート１０１に含まれる接近検出コイル５４４と、コイルシート１０２に含まれる接近検出コイル５４４とは、ノート１２の見開き方向に並列して配置されている。
【００３０】
図２に示す接近検出回路５６は、コイルシート１０１またはコイルシート１０２いずれかの接近検出コイル５４４で発生した信号７２に基づき、電子ペン２０が座標検出装置５０に接近したことを検出するための回路である。接近検出回路５６は、接近検出コイル５４４に接続されている。接近検出回路５６は、図２に示すように、通過周波数がｆ２であるバンドパスフィルタ５６２と、増幅回路５６４と、整流回路５６６と、持続検出回路５６８とを含む。バンドパスフィルタ５６２は、入力される信号７２に対して、不要な帯域を濾波する。そしてバンドパスフィルタ５６２は、電子ペン２０で先端スイッチ２４がオフの場合にＬＣ発振回路２２から発生される磁界の周波数である接近周波数ｆ２の信号７４を通過させる。増幅回路５６４は、バンドパスフィルタ５６２を通過した信号７４を増幅する。整流回路５６６は、増幅回路５６４で増幅された信号７６を振幅検波する。持続検出回路５６８は、ノイズによる誤動作を防止し、ｆ２成分を除去するために、整流回路５６６で振幅検波された信号７８が所定の一定時間継続しているかを検出し、その信号７８の振幅（電圧値）が、例えば図８（ａ）に示す所定の閾値Ｖｔｈを超えているか判断する。解除信号８０は持続検出回路５６８で接近周波数ｆ２の信号７８が一定時間継続し、振幅が閾値Ｖｔｈを超えたことが検出された場合、休止状態（スリープモード）を解除するためマイコン５２に出力される。電子ペン２０がコイルシート１０１またはコイルシート１０２の上方で接近した場合に解除信号８０が出力される。
【００３１】
位置検出回路５８は、周知の電子ペン２０が存在するコイルシート１０１，１０２上の位置を示す座標を検出する回路である。位置検出回路５８は、図２に示すように、ＭＵＸ５８２と、増幅回路５８４と、整流回路５８６とを含む。ＭＵＸ５８２は、セレクタ素子として機能し、マイコン５２からのコイル選択信号９０に基づきセンスコイル５４２を順番に選択する。そして、ＭＵＸ５８２は、選択されたセンスコイル５４２において、電子ペン２０で先端スイッチ２４がオンの場合にＬＣ発振回路２２から発生される入力周波数ｆ１の磁界との磁気誘導によって発生した信号９２（図２参照）を出力する。増幅回路５８４は、ＭＵＸ５８２から入力される信号９２を増幅する。増幅回路５８４で増幅された信号（電子ペン入力検知信号）９４は、マイコン５２に入力される。また、増幅回路５８４で増幅された信号９６は、整流回路５８６に入力される。整流回路５８６は、信号９６を振幅検波した後、平滑化して直流信号に変換する。なお、整流回路５８６で振幅検波された信号９８は、マイコン５２に入力される。マイコン５２ではＡ／Ｄ変換機能を有しており、該入力された信号９８をデジタルコードに変換する。
【００３２】
周辺回路６０は、図２に示すように、フラッシュメモリ６０２と、通信インターフェース６０４と、表示部６０６とを含む。フラッシュメモリ６０２には、座標検出装置５０で検出された座標データが保存される。通信インターフェース６０４は、フラッシュメモリ６０２に保存された座標データ（ストロークデータ）を、パーソナルコンピュータなどの外部装置に提供するためのインターフェースである。具体的に、ＵＳＢ（Universal Serial Bus）接続のためのＵＳＢインターフェースがこれに該当する。また、ＳＤカードなどのメモリカードスロットもこれに該当し、さらに、無線または有線のネットワークインターフェースなども該当する。表示部６０６は、電池６２の残量など所定の情報を表示する。例えばＬＣＤ（Liquid Crystal Display）によって構成される。スイッチ部６４は、マイコン５２からの制御信号７０にしたがい、接近検出回路５６、位置検出回路５８および周辺回路６０の電気的な動作状態を切り替える。つまり、スイッチ部６４は、マイコン５２からの制御信号７０にしたがい、電池６２と、接近検出回路５６、位置検出回路５８および周辺回路６０との電気的な接続状態を切り替える。例えば、スイッチ部６４は、制御信号７０にしたがい、接近検出回路５６と電池６２とが接続され、位置検出回路５８および周辺回路６０とが遮断（切断）された状態となる。また、スイッチ部６４は、制御信号７０にしたがい、接近検出回路５６と電池６２とが遮断され、位置検出回路５８および周辺回路６０とが接続された状態となる。各回路は、電池６２と遮断された状態において、休止状態となり、接続された状態において動作状態となる。
【００３３】
ここで、マイコン５２を構成するＲＯＭには、図８に基づき後述する座標検出装置５０で実行される処理で用いられる位置座標テーブルが記憶されている。以下、この位置座標テーブルについて、図５（ａ）〜（ｃ）および図６（ａ），（ｂ）を参照して説明する。なお、以下では、コイルシート１０１のセンスコイル５４２を構成するセンスコイルＸ１〜Ｘｍのうち、センスコイルＸ１，Ｘ２，Ｘ３に基づき説明する。コイルシート１０１のセンスコイル５４２を構成するセンスコイルＹ１〜Ｙｎと、コイルシート１０２のセンスコイル５４２を構成する、センスコイルＸ１〜ＸｍとセンスコイルＹ１〜Ｙｎとについても、以下と同様にして、位置座標テーブルを得る。また、図５（ａ）では、図３とは異なりセンスコイルＸ１〜Ｘ３は、実線で示されている。
【００３４】
図５（ａ）においてコイルシート１０１のセンスコイルＸ１，Ｘ２，Ｘ３の中心線をそれぞれＣ１，Ｃ２，Ｃ３とし、コイルシート１０１のセンスコイルＸ１，Ｘ２，Ｘ３に発生する電圧値をそれぞれｅｘ１，ｅｘ２，ｅｘ３とする。図５（ｂ）に示すように、電圧値ｅｘ１〜ｅｘ３は、それぞれコイルシート１０１のセンスコイルＸ１〜Ｘ３の中心Ｃ１〜Ｃ３において最大になり、長手方向の端部（Ｙ軸方向の長さＰ２の辺を形成する部分）が近づくにつれて小さくなる単峰性を示す。なお、コイルシート１０１のセンスコイルＸ１〜Ｘ３は、自己のヌル点が隣接するセンスコイルの中心の外側となるようにＰ１の２分の１の幅で重ねられる。また、図５（ｃ）に示すように、コイルシート１０１のセンスコイルＸ１〜Ｘ３の相互に隣接するセンスコイル間の電圧差は、コイルシート１０１のセンスコイルＸ１〜Ｘ３の中心Ｃ１〜Ｃ３上にそれぞれ最大値を有する。そして、コイルシート１０１のセンスコイルＸ１〜Ｘ３の中心とコイルシート１０１のセンスコイルＸ１〜Ｘ３の長辺部分（Ｙ軸方向の長さＰ２の辺の部分）との中間点、つまり隣接するコイルシート１０１のセンスコイルＸ１〜Ｘ３が重なった部分の中間点に最小値を有するグラフとなる。
【００３５】
例えば、図５（ｃ）において（ｅｘ１−ｅｘ２）を示すグラフの右半分（実線で示す部分）は、コイルシート１０１のセンスコイルＸ１の中心Ｃ１から、コイルシート１０１のセンスコイルＸ２が重ねられた部分の中間点Ｑ２間での距離（重ねピッチの２分の１、つまりＰ１の４分の１）と（ｅｘ１−ｅｘ２）との関係を示す。今、仮に電子ペン２０が、中間点Ｑ２に存在する場合、（ｅｘ１−ｅｘ２）を検出すれば、中心Ｃ１から中間点Ｑ２点までの距離ΔＸ１を検出できる。そのため、中間点Ｑ２のＸ座標を求めることができる。仮にコイルシート１０１のセンスコイルＸ１〜Ｘ３の幅Ｐ１が５０ｍｍであるとすれば、Ｐ１／４＝１２．５ｍｍである。例えば、図５（ｃ）において（ｅｘ１−ｅｘ２）の特性を示す部分（実線で描いた部分）を８ｂｉｔのデジタルデータに変換すると、図６（ａ）に示すグラフを得る。このグラフをテーブル形式に変換すると、図６（ｂ）に示す位置座標テーブルを得る。なお、図５（ａ）では、コイルシート１０１のセンスコイルＸ１〜Ｘ３の配置を分かり易くするために、コイルシート１０１のセンスコイルＸ１〜Ｘ３の各辺が重ならないように図示している。
【００３６】
電子ペン２０の位置ｗと、接近検出コイル５４４で発生する信号７２の電圧値Ｖとの関係について、図７（ａ），（ｂ）を参照して説明する。以下において、電子ペン２０の位置ｗは、コイルシート１０１に対する位置を例に説明する。ここで、図７（ａ）に示すグラフｄ１は、図７（ｂ）に示す、電子ペン２０とコイルシート１０１との距離ｄが、ｄ１である場合の結果を示す。同じく、グラフｄ２は距離ｄがｄ２の場合、グラフｄ３は距離ｄがｄ３の場合の結果を示す。なお、距離ｄ１と距離ｄ２と距離ｄ３とは、ｄ１＞ｄ２＞ｄ３の関係を有する。
【００３７】
また、図７（ａ）に示す位置ｗは、図７（ｂ）に示すように、コイルシート１０１の幅Ｗの中央から電子ペン２０までの距離を示す。なお、コイルシート１０１の幅Ｗは、図３に示すＸ軸方向の幅である。つまり、図７（ａ）は、コイルシート１０１に対して距離ｄが、ｄ１，ｄ２またはｄ３である電子ペン２０を、コイルシート１０１のＸ軸方向に移動させた各位置ｗにおける信号７２の電圧値Ｖの変化を、距離ｄ１，ｄ２，ｄ３毎に示すものである。
【００３８】
距離ｄを変化させた場合における信号７２の電圧値Ｖは、図７（ａ）から明らかなとおり、距離ｄ３、距離ｄ２、距離ｄ１の順で高くなる。つまり、距離ｄが接近するほど、信号７２の電圧値Ｖは高くなる。また、電子ペン２０をＸ軸方向に移動させた各位置ｗにおける信号７２の電圧値Ｖは、距離ｄ１，ｄ２，ｄ３に関わらず、コイルシート１０１のＸ軸方向の中央に接近するにしたがい漸次増加する。そして、幅Ｗの範囲で、コイルシート１０１のＸ軸方向の中央を含む所定の範囲では一定値となる。なお、グラフｄ１，ｄ２，ｄ３は、Ｘ軸方向の中央を中心として対称な形状となる。
【００３９】
距離ｄがｄ１である場合、電子ペン２０のＸ軸方向の位置ｗがいずれの場合であっても、信号７２の電圧値Ｖが、解除信号８０を出力するために定めた閾値Ｖｔｈを超えることはない。これに対し、電子ペン２０が接近し、距離ｄが距離ｄ２である場合、またはさらに接近し、距離ｄ３である場合には、位置ｗが所定の値となった時点で、信号７２の電圧値Ｖが閾値Ｖｔｈを超える。つまり、電子ペン２０が、コイルシート１０１の上方に接近すると、接近検出コイル５４４では、閾値Ｖｔｈを超えた値の電圧値の信号７２が発生する。閾値Ｖｔｈを超える位置ｗは、距離ｄ２より距離ｄ３の方が中央から離れた位置となる。
【００４０】
上述した持続検出回路５６８では、このような信号７２に基づいた信号７８の電圧値の振幅が、閾値Ｖｔｈを超え、超えた状態が一定時間継続されたかが判断される。そして、信号７２に基づいた信号７８の電圧値が、一定時間継続して閾値Ｖｔｈを超えた場合、マイコン５２に、解除信号８０が出力される。なお、上記では、コイルシート１０１の幅Ｗが、図２に示すＸ軸方向の幅である場合を例に説明した。電子ペン２０をＹ軸方向に移動させた場合についても、図７（ａ）のような結果が得られる。また、コイルシート１０１と同一の構成であるコイルシート１０２についても、コイルシート１０１の場合と同一の結果、つまり図７（ａ）に示す結果が得られる。
【００４１】
次に、座標検出装置５０で実行される処理について図８を参照して説明する。この処理は、ユーザが座標検出装置５０の電源をオンした場合に開始される。この処理を開始したマイコン５２は、座標検出装置５０をスリープモードとする（Ｓ１００）。Ｓ１００でマイコン５２は、スイッチ部６４に制御信号７０を出力する。マイコン５２から制御信号７０が入力されたスイッチ部６４は、接近検出回路５６を動作状態とし、位置検出回路５８および周辺回路６０を休止状態に切り替える。これによって、電池６２から位置検出回路５８および周辺回路６０への電力の供給は遮断され、接近検出回路５６にだけ電力が供給される。なお、休止状態では、例えば後述するＳ１０６で開始されるセンスコイル５４２のスキャン、Ｓ１１０およびＳ１１２などといった負荷のかかる処理が実行されないため、マイコン５２も、後述するように、解除信号８０のみを監視するスリープモードに切り替えられる。これによって省電力が図られる。
【００４２】
Ｓ１００を実行した後、マイコン５２は、座標検出装置５０への電子ペン２０の接近が検出されたかについて判断する（Ｓ１０２）。電子ペン２０が接近したら解除信号８０がマイコン５２に入力される。マイコン５２は、コイルシート１０１またはコイルシート１０２いずれかで発生した信号７２に基づく接近検出回路５６からの解除信号８０が入力された場合、Ｓ１０２の判断を肯定し（Ｓ１０２：Ｙｅｓ）、処理をＳ１０４に移行する。一方、マイコン５２は、解除信号８０がマイコン５２に入力されていない場合、Ｓ１０２の判断を否定し（Ｓ１０２：Ｎｏ）、Ｓ１００の処理を継続する。解除信号８０の処理には割り込み機能が用いられる。Ｓ１０２でマイコン５２は、コイルシート１０１の接近検出コイル５４４と、コイルシート１０２の接近検出コイル５４４とを交互に繰り返してスキャンする。
【００４３】
Ｓ１０４でマイコン５２は、動作した状態となり、座標検出装置５０をノーマルモードに切り替える。Ｓ１０４でマイコン５２は、接近検出回路５６の動作を休止し、動作が休止されている位置検出回路５８および周辺回路６０を動作状態に切り替える。すなわち、マイコン５２は、スイッチ部６４に制御信号７０を出力する。マイコン５２から制御信号７０が入力されたスイッチ部６４では、動作指令が、接近検出回路５６側から位置検出回路５８および周辺回路６０側に切り替えられる。これによって、電池６２から位置検出回路５８および周辺回路６０への電力の供給が開始される。そして、マイコン５２は、処理をＳ１０６に移行する。
【００４４】
Ｓ１０６でマイコン５２は、コイルシート１０１およびコイルシート１０２それぞれのセンスコイル５４２、つまりコイルシート１０１およびコイルシート１０２それぞれのセンスコイルＸ１〜ＸｍおよびセンスコイルＹ１〜Ｙｎのスキャンを開始する。具体的に、マイコン５２は、コイルシート１０１およびコイルシート１０２それぞれのセンスコイルＸ１〜ＸｍとセンスコイルＹ１〜Ｙｎとを順番に選択するコイル選択信号９０を、ＭＵＸ５８２に出力する。そして、マイコン５２は、コイルシート１０１およびコイルシート１０２それぞれのセンスコイルＸ１〜ＸｍとセンスコイルＹ１〜Ｙｎとのスキャンを行う。続いて電子ペン２０の先端スイッチ２４がオンの状態でＬＣ発振回路２２から発生された入力周波数ｆ１の磁界と、コイルシート１０１またはコイルシート１０２のセンスコイルＸ１〜ＸｍとセンスコイルＹ１〜Ｙｎとのいずれかとの磁気誘導によって、信号９２が発生する。発生した信号９２は、増幅回路５８４によって増幅される。増幅された信号９４がマイコン５２に入力される。次に、マイコン５２は、入力された信号９４に基づき、内蔵のカウンタを用いて入力周波数ｆ１の信号９４が検出されたかを判断する（Ｓ１０８）。なお、入力周波数ｆ１の信号９４は、ユーザが電子ペン２０を用いて筆記面１４に文字などを描き出した場合に先端スイッチ２４がオンとなり、ＬＣ発振回路２２で発生される磁界とセンスコイル５４２との磁気誘導に基づく信号である。Ｓ１０８の判断の結果、入力周波数ｆ１の信号９４が検出された場合（Ｓ１０８：Ｙｅｓ）、マイコン５２は、処理をＳ１１０に移行する。一方、入力周波数ｆ１の信号９４が検出されていない場合（Ｓ１０８：Ｎｏ）、マイコン５２は、処理をＳ１１６に移行する。
【００４５】
Ｓ１１０でマイコン５２は、センスコイル５４２毎の電圧値を比較する。そして、マイコン５２は、電圧値の比較から電子ペン２０の座標データを算出する（Ｓ１１２）。Ｓ１１０とＳ１１２とで実行される処理の詳細は、次のとおりである。なお、以下では、コイルシート１０１およびコイルシート１０２それぞれのセンスコイルＸ１〜Ｘｍを例に説明する。まず、Ｓ１１０では、電子ペン２０のＬＣ発振回路２２から発生した磁界と、コイルシート１０１またはコイルシート１０２のいずれかのセンスコイルＸ１〜Ｘｍとの磁気誘導によって発生した信号９２は、増幅回路５８４によって増幅される。増幅された信号９６は、整流回路５８６で振幅検波され、振幅検波された信号９８は、マイコン５２に入力される。マイコン５２は、入力された振幅検波後の信号９８を、振幅つまり電圧値に対応したデジタル信号に変換する。
【００４６】
続いてマイコン５２は、コイルシート１０１またはコイルシート１０２のいずれかのセンスコイルＸ１〜Ｘｍをスキャンして入力された信号９８から変換されたデジタル信号によって示される電圧値ｅ１〜ｅｍを、コイルシート１０１またはコイルシート１０２のいずれかのセンスコイルＸ１〜Ｘｍのコイル番号と対応付けて、マイコン５２を構成するＲＡＭの電圧値記憶エリアに順次記憶する。例えば、マイコン５２は、コイルシート１０１のセンスコイルＸ１のコイル番号に対応付けて、このセンスコイルＸ１に基づくデジタル信号によって示される電圧値ｅ１を記憶する。また、コイルシート１０２のセンスコイルＸｍのコイル番号に対応付けて、このセンスコイルＸｍに基づくデジタル信号によって示される電圧値ｅｍを記憶する。
【００４７】
Ｓ１１２でマイコン５２は、コイルシート１０１またはコイルシート１０２のセンスコイルＸ１〜Ｘｍのコイル番号に対応付けて、電圧値記憶エリアに記憶されている電圧値ｅ１〜ｅｍの中で最大の電圧値ｅｍａｘを選択する。そして、マイコン５２は、電圧値ｅｍａｘを発生したコイルシート１０１またはコイルシート１０２のセンスコイルＸ１〜Ｘｍのコイル番号ＸｍａｘをＲＡＭに記憶する。次に、マイコン５２は、電圧値ｅｍａｘを発生したコイルシート１０１またはコイルシート１０２のセンスコイルＸ１〜Ｘｍの両隣のセンスコイルＸ１〜Ｘｍの電圧値ｅ１〜ｅｍのうちいずれか大きい方を決定する。そして、マイコン５２は、決定された電圧値ｅ１〜ｅｍを発生したコイルシート１０１またはコイルシート１０２のセンスコイルＸ１〜Ｘｍのコイル番号を、コイル番号Ｘｍａｘ２としてＲＡＭに記憶する。例えば、電圧値ｅｍａｘがコイルシート１０１のセンスコイルＸ２によって発生されていた場合、マイコン５２は、その両隣のセンスコイルＸ１の電圧値ｅ１およびセンスコイルＸ３の電圧値ｅ３を比較し、大きい電圧値ｅ１または電圧値ｅ３を決定する。そして、マイコン５２は、決定された電圧値ｅ１を発生したコイルシート１０１のセンスコイルＸ１のコイル番号または電圧値ｅ３を発生したコイルシート１０１のセンスコイルＸ３のコイル番号を、コイル番号Ｘｍａｘ２としてＲＡＭに記憶する。
【００４８】
続いてマイコン５２は、ＲＡＭに記憶されたコイル番号ｍａｘおよびコイル番号ｍａｘ２を比較して、コイル番号ｍａｘ２はコイル番号ｍａｘからＸ軸の＋方向または−方向のどちらに存在しているかを判定する。なお、Ｘ軸の＋方向とは図３のＸ軸を示す矢印の方向であり、Ｘ軸の−方向とはその逆の方向である。判定の結果、コイル番号Ｘｍａｘ２がコイル番号Ｘｍａｘに対して＋方向である場合、マイコン５２は、変数ＳＩＤＥを１に設定する。一方、コイル番号Ｘｍａｘ２がコイル番号Ｘｍａｘに対して−方向である場合、マイコン５２は、変数ＳＩＤＥを−１に設定する。例えば、電圧値ｅｍａｘがコイルシート１０１のセンスコイルＸ２で発生され、コイル番号ＸｍａｘとしてこのセンスコイルＸ２を示すコイル番号がＲＡＭに記憶され、コイルシート１０１のセンスコイルＸ３のコイル番号がコイル番号Ｘｍａｘ２として記憶されていた場合、マイコン５２は、変数ＳＩＤＥを１に設定する。一方、電圧値ｅｍａｘがコイルシート１０１のセンスコイルＸ２で発生され、コイル番号ＸｍａｘとしてこのセンスコイルＸ２を示すコイル番号がＲＡＭに記憶され、コイルシート１０１のセンスコイルＸ１のコイル番号がコイル番号Ｘｍａｘ２として記憶されていた場合、マイコン５２は、変数ＳＩＤＥを−１に設定する。
【００４９】
変数ＳＩＤＥを設定したマイコン５２は、
ＤＩＦＦ＝ｅ（ｍａｘ）−ｅ（ｍａｘ２）・・・（１）
を算出する。マイコン５２は、算出されたＤＩＦＦに最も近い位置座標を、マイコン５２を構成するＲＯＭに予め記憶されている位置座標テーブル（図６（ｂ）参照）から読み出す。そして、マイコン５２は、位置座標テーブルから読み出した位置座標をＯＦＦＳＥＴとする。続いてマイコン５２は、
Ｘ＝（Ｐ１／２）×ｍａｘ＋ＯＦＦＳＥＴ×ＳＩＤＥ・・・（２）
を算出し、電子ペン２０のＸ軸方向の位置を示すＸ座標を求める。ここで、（Ｐ１／２）×ｍａｘは、コイル番号ｍａｘの中心のＸ座標を示す。
【００５０】
なお、マイコン５２は、電子ペン２０のＬＣ発振回路２２から発生した入力周波数ｆ１の磁界と、コイルシート１０１またはコイルシート１０２のいずれかのセンスコイルＹ１〜Ｙｎとの磁気誘導によって発生した信号９２についても、コイルシート１０１およびコイルシート１０２におけるＸ軸方向のセンスコイルＸ１〜Ｘｍを例に上述したＳ１１０およびＳ１１２の各処理を、上記同様に実行する。そして、マイコン５２は、Ｓ１１０およびＳ１１２を実行して、電子ペン２０のＹ軸方向の位置を示すＹ座標を算出する。
【００５１】
Ｓ１１２を実行した後、マイコン５２は、Ｓ１１２で算出されたＸ軸方向のＸ座標およびＹ軸方向のＹ座標を、Ｘ座標およびＹ座標を含む座標データとしてフラッシュメモリ６０２に保存する。そして、マイコン５２は、処理をＳ１０８に戻し、上述した処理を繰り返して実行する。座標データを時系列にしたがい連続的に保存することによって、連続的な座標データを、電子ペン２０を用いて入力される情報に基づいたストロークデータとして保存することができる。フラッシュメモリ６０２に保存された時系列にしたがった連続的な座標データによるストロークデータは、通信インターフェース６０４を介してパーソナルコンピュータなどの外部装置に提供され、これによって利用することができる。
【００５２】
Ｓ１０８で入力周波数ｆ１の信号９４が検出されておらず（Ｓ１０８：Ｎｏ）、処理がＳ１１６に移行した場合、マイコン５２は、現時点から最も直近にＳ１０８が肯定（Ｓ１０８：Ｙｅｓ）された時間から、予め定められた一定時間Ｔが経過したかについて判断する。なお、Ｓ１０８の判断が肯定された場合（Ｓ１０８：Ｙｅｓ）、マイコン５２は、例えばマイコン５２が備える計時手段から取得される、Ｓ１０８の判断が肯定された時点の時間を例えばＲＡＭに記憶する。Ｓ１１６でマイコン５２は、このＲＡＭに記憶されている時間と現在時間とを比較し、一定時間の経過を判断する。この他、マイコン５２に含まれるタイマーを用いて、Ｓ１０８の判断が肯定された場合（Ｓ１０８：Ｙｅｓ）、タイマーによるカウントを開始し、一定時間のカウントが終了しているかによって、Ｓ１１６の判断を行うようにしてもよい。
【００５３】
Ｓ１１６の判断の結果、一定時間が経過していない場合（Ｓ１１６：Ｎｏ）、マイコン５２は、処理をＳ１０８に戻す。一方、一定時間が経過している場合（Ｓ１１６：Ｙｅｓ）、マイコン５２は、座標検出装置５０に対し、この処理の終了が指示されているかについて判断する（Ｓ１１８）。終了は、例えば座標検出装置５０の電源スイッチ（不図示）がオフされることで入力される。判断の結果、終了が指示されていない場合（Ｓ１１８：Ｎｏ）、マイコン５２は、処理をＳ１００に戻し、上述したように座標検出装置５０をスリープモードとし、接近検出回路５６を動作状態として、位置検出回路５８および周辺回路６０を休止状態に切り替えるとともに、マイコン５２自身を休止した状態に切り替える。一方、終了が指示されている場合（Ｓ１１８：Ｙｅｓ）、マイコン５２は、この処理を終了する。
【００５４】
本実施形態の構成によれば、電子ペン２０を用いた情報の入力がなされていない場合（Ｓ１０８：Ｎｏ，Ｓ１１６：Ｙｅｓ）などに、マイコン５２は、座標検出装置５０を休止状態に移行させる。そして、マイコン５２は、スリープモードにおいて、電子ペン２０が座標検出装置５０に接近したことが、電子ペン２０からの接近周波数ｆ２の磁界と接近検出コイル５４４との磁気誘導によって検出された場合（Ｓ１０２：Ｙｅｓ）、位置検出回路５８などに対して電力の供給を再開させる。したがって、座標検出装置５０では、電子ペン２０を用いた情報の入力がなされない場合の電力消費を低減し、電子ペン２０が接近して入力が開始されるタイミングで、必要な動作を行うことができる。
【００５５】
以上説明した本実施形態の構成は、例えば次のような構成としてもよい。
【００５６】
（１）上記では、図８の座標検出装置５０で実行される処理が、ユーザが座標検出装置５０の電源をオンした場合に開始され、この処理が開始された場合、Ｓ１００で、マイコン５２は、座標検出装置５０を休止状態に移行させることとした。この他、座標検出装置５０で、ユーザが座標検出装置５０の電源をオンした後、一定時間の間、電子ペン２０の接近が検出されなかった場合に、座標検出装置５０を休止状態に移行させる構成としてもよい。このような構成によっても、座標検出装置５０での消費電力を低減させることができる。また、スリープモードではマイコン５２は休止するとしたが、クロックを低周波数のものとしてもよい。さらに、座標検出装置５０が、２枚のコイルシート１０１とコイルシート１０２とを備え構成を例としたが、コイルシート枚数は１枚としてもよい。
【００５７】
（２）座標検出装置が備えるコイルシート枚数が１枚で、例えば上述したコイルシート１０１のみを備える場合、コイルシート１０１に含まれるセンスコイル５４２と、ＭＵＸ５８２およびグランドとの接続は、図９（ａ）のような構成となる。つまり、センスコイルＸ１〜ＸｍおよびセンスコイルＹ１〜Ｙｎでは、それぞれの一端である各引出線５４３ａが、それぞれＭＵＸ５８２に接続される。一方、それぞれの他端である各引出線５４３ｂはグランドに接続される。図９（ａ）の構成を備える座標検出装置に関し、図９（ａ）に示された接続形態以外の構成は、図２に示す座標検出装置５０と同様である。
【００５８】
これに対し、座標検出装置が、２枚のコイルシート１０１とコイルシート１０２とを備える場合、コイルシート１０１とコイルシート１０２とにそれぞれ含まれるセンスコイル５４２と、ＭＵＸ５８２およびグランドの接続は、図９（ｂ），（ｃ）のような構成となる。図９（ａ）〜（ｃ）では、センスコイル５４２、具体的にはセンスコイルＸ１〜ＸｍおよびセンスコイルＹ１〜Ｙｎについての図示は省略している。また、図９（ｂ）の構成を備える座標検出装置または図９（ｃ）の構成を備える座標検出装置に関し、図９（ｂ），（ｃ）に示された接続形態以外の構成は、図２に示す座標検出装置５０と同様である。したがって、図９（ｂ）または図９（ｃ）の構成を備える座標検出装置に関し、図２と同様の構成には、図２で用いた符号と同一の符号を用いて説明する。
【００５９】
例えば、図９（ｂ）の構成では、２枚のコイルシート１０１とコイルシート１０２とにそれぞれ対応して、２個のＭＵＸ５８２ａとＭＵＸ５８２ｂとが設置される。そして、コイルシート１０１のセンスコイルＸ１〜ＸｍおよびセンスコイルＹ１〜Ｙｎでは、各引出線５４３ａが、それぞれＭＵＸ５８２ａに接続される。一方、各引出線５４３ｂはグランドに接続される。同じく、コイルシート１０２のセンスコイルＸ１〜ＸｍおよびセンスコイルＹ１〜Ｙｎでは、各引出線５４３ａが、それぞれＭＵＸ５８２ｂに接続される。一方、各引出線５４３ｂはグランドに接続される。つまり、図９（ｂ）の構成は、コイルシート枚数に対応した数だけ、図９（ａ）に示す構成を含む。
【００６０】
図９（ｃ）では、ＭＵＸ５８２の設置数を１個とする。そして、コイルシート１０１のセンスコイルＸ１〜ＸｍおよびセンスコイルＹ１〜Ｙｎの各引出線５４３ａと、コイルシート１０２のセンスコイルＸ１〜ＸｍおよびセンスコイルＹ１〜Ｙｎの各引出線５４３ａとが、ともに共通のＭＵＸ５８２に接続され、各引出線５４３ｂが、ともにグランドに接続される。具体的に、コイルシート１０１のセンスコイルＸ１の引出線５４３ａと、コイルシート１０２のセンスコイルＸ１の引出線５４３ａとが接続される。そして、各引出線５４３ａが接続された状態でＭＵＸ５８２に接続される。コイルシート１０１のセンスコイルＸｍの引出線５４３ａと、コイルシート１０２のセンスコイルＸｍの引出線５４３ａとが接続され、接続された状態でＭＵＸ５８２に接続される。また、コイルシート１０１のセンスコイルＸ１〜Ｘｍの各引出線５４３ｂと、コイルシート１０２のセンスコイルＸ１〜Ｘｍの各引出線５４３ｂとはグランドに接続される。
【００６１】
同じく、コイルシート１０１のセンスコイルＹ１の引出線５４３ａと、コイルシート１０２のセンスコイルＹ１の引出線５４３ａとが接続される。そして、各引出線５４３ａが接続された状態でＭＵＸ５８２に接続される。コイルシート１０１のセンスコイルＹｎの引出線５４３ａと、コイルシート１０２のセンスコイルＹｎの引出線５４３ａとが接続され、接続された状態でＭＵＸ５８２に接続される。また、コイルシート１０１のセンスコイルＹ１〜Ｙｎの各引出線５４３ｂと、コイルシート１０２のセンスコイルＹ１〜Ｙｎの各引出線５４３ｂとはグランドに接続される。
【００６２】
図９（ｃ）の構成は、例えば図９（ｂ）のような構成に対して次のような点で好適である。つまり、図９（ｂ）のような構成では、センスコイル５４２の増加に対応して、センスコイルＸ１〜ＸｍおよびセンスコイルＹ１〜Ｙｎのスキャン（例えば図８のＳ１０６参照）に要する時間が増加する。その結果、電子ペン２０の座標の算出（例えば図８のＳ１１２参照）に必要な時間も増加する。したがって、処理のサンプリング周期が長くなる。また、２個のＭＵＸ５８２ａ，５８２ｂを用いるため、消費電力が増加し、基板面積も大きくなってしまう。
【００６３】
これに対し、図９（ｃ）の構成によれば、コイルシート１０１とコイルシート１０２とで、共通する閉ループが形成され、両者が同一の値を出力する。そのため、スキャンするセンスコイル数はコイルシート枚数が１枚であるときと比較して増加しない。そのため、位置算出時間の増加と、基板面積の増加と、消費電力の増加とを抑制することができる。また、コイルシート１０１またはコイルシート１０２のいずれか一方のセンスコイル５４２が断線することがある。コイルシート１０１またはコイルシート１０２のいずれか一方が取り外されて利用されることもある。図９（ｃ）の構成では、このような場合においても、コイルシート１０１またはコイルシート１０２だけで閉ループを形成することができる。そのため、片面専用として信号９２を出力することが可能である。
【００６４】
ところで、図９（ｃ）の構成では、コイルシート１０１およびコイルシート１０２からの出力が同一となる。そのため、見開き状態にあるノート１２のいずれか一方の筆記面１４に対して、電子ペン２０を用いて文字などが記載された場合、電子ペン２０による入力が、コイルシート１０１の側であるか、コイルシート１０２の側であるかを判断する必要がある。図９（ｃ）の構成を備える座標検出装置では、この判断を、コイルシート１０１およびコイルシート１０２それぞれが備える接近検出コイル５４４から出力される信号７２に基づいて判断する。つまり、接近検出回路５６に入力された信号７２がコイルシート１０１の接近検出コイル５４４からのものである場合、電子ペン２０による入力はコイルシート１０１の側であると判断される。一方、接近検出回路５６に入力された信号７２がコイルシート１０２の接近検出コイル５４４からのものである場合、電子ペン２０による入力はコイルシート１０２の側であると判断される。
【００６５】
また、座標検出装置が、２枚のコイルシート１０１とコイルシート１０２とを備える場合、コイルシート１０１とコイルシート１０２とはそれぞれ、図２に示す接近検出回路５６と接続される。つまり、座標検出装置は、２つの接近検出回路５６を備えることになる。そして、コイルシート１０１とコイルシート１０２とからそれぞれ出力される信号７２が、コイルシート１０１およびコイルシート１０２それぞれの接近検出回路５６に入力される。さらに、座標検出装置が、２枚のコイルシート１０１とコイルシート１０２とを備える場合、コイルシート１０１およびコイルシート１０２と、各コイルシート１０１，１０２それぞれの接近検出回路５６とは、共通のスイッチを介して接続される。共通のスイッチとは、例えば、ＭＵＸである。この場合、ＭＵＸは、マイコン５２から出力される制御信号により、スイッチを切り替える。具体的には、コイルシート１０１に含まれる接近検出コイルにより、電子ペン２０の接近が検出された場合、マイコン５２は、コイルシート１０１と、コイルシート１０１の接近検出回路５６との接続を遮断する制御信号をＭＵＸに送信する。接続を遮断する制御信号を受信したＭＵＸは、コイルシート１０１と、コイルシート１０１の接近検出回路５６との接続を遮断する。一方、コイルシート１０２に含まれる接近検出コイルにより、電子ペン２０の接近が検出された場合、マイコン５２は、コイルシート１０２と、コイルシート１０２の接近検出回路５６との接続を遮断する制御信号をＭＵＸに送信する。接続を遮断する制御信号を受信したＭＵＸは、コイルシート１０２と、コイルシート１０２の接近検出回路５６との接続を遮断する。このように、電子ペン２０の接近を検出したコイルシートと、そのコイルシートに接続された接近検出回路との接続を遮断することで、不必要なスキャンをなくし、座標検出装置の消費電力を低減することができる。また、接近を検出したコイルシート上に不必要なコイルが形成されないことによりノイズ低減にもつながる。そして、一定時間の間、電子ペン２０により、入力がされなかったとき、マイコン５２は、コイルシート１０１およびコイルシート１０２と、コイルシート１０１およびコイルシート１０２とのそれぞれに接続された接近検出回路５６とを、再度接続させる制御信号を、ＭＵＸに送信する。これにより、コイルシート１０１およびコイルシート１０２と、コイルシート１０１およびコイルシート１０２とのそれぞれに接続された接近検出回路５６とを、再度交互に接続させることができる。
【００６６】
以下、図９（ｃ）の構成を備える座標検出装置で実行される処理について、図１０を参照して説明する。なお、図９（ａ），（ｂ）の構成を備える座標検出装置では、上述した図８に示す処理が実行される。図１０に示す処理は、図８に示す処理と同じく、ユーザが座標検出装置の電源（図２で不図示）をオンした場合に開始される。この処理を開始したマイコン５２は、コイルシート１０１の接近検出コイル５４４（以下、「第１接近検出コイル」ともいう。図１０において同じ）と、コイルシート１０２の接近検出コイル５４４（以下、「第２接近検出コイル」ともいう。図１０において同じ）とを交互にスキャンする（Ｓ２０２）。なお、図１０の処理についても図８の処理と同じく、マイコン５２は、電源オン後、Ｓ２０２の実行に先立ち、図８のＳ１００と同じ処理を実行し、座標検出装置の状態をスリープモードとする。つまり、マイコン５２は、スイッチ部６４に制御信号７０を出力する。マイコン５２から制御信号７０が入力されたスイッチ部６４は、接近検出回路５６を動作状態とし、位置検出回路５８および周辺回路６０を休止状態に切り替える。
【００６７】
Ｓ２０２を実行した後、マイコン５２は、第１接近検出コイルと第２接近検出コイルとを交互に繰り返してスキャンする。そして、マイコン５２は、第１接近検出コイルまたは第２接近検出コイルのいずれかにおいて、電子ペン２０の接近が検出されたかについて判断する（Ｓ２０４）。なお、Ｓ２０４の処理は、図８のＳ１０２と同一の処理である。したがって、その説明は省略する。解除信号８０がマイコン５２に入力され、Ｓ２０４の判断が肯定される場合（Ｓ２０４：Ｙｅｓ）、マイコン５２は、処理をＳ２０６に移行する。この際、マイコン５２は、スイッチ部６４を制御し、休止状態の位置検出回路５８および周辺回路６０を動作状態に切り替える。なお、この場合、スイッチ部６４は、接近検出回路５６と、位置検出回路５８および周辺回路６０とに、電池６２から電力が供給される状態となる。一方、解除信号８０がマイコン５２に入力されておらず、Ｓ２０４の判断が否定される場合（Ｓ２０４：Ｎｏ）、マイコン５２は、Ｓ２０２の処理を継続する。
【００６８】
Ｓ２０６でマイコン５２は、電子ペン２０の接近がコイルシート１０１の側であるか、コイルシート１０２の側であるかについて判断する。Ｓ２０６でマイコン５２は、自身に入力された解除信号８０が、第１接近検出コイルで発生した信号７２に基づくものであるか、第２接近検出コイルで発生した信号７２に基づくものであるかを判断する。そして、マイコン５２は、第１接近検出コイルで発生した信号７２に基づくものであった場合、電子ペン２０の接近はコイルシート１０１の側であると判断し（Ｓ２０６：コイルシート１０１）、処理をＳ２０８に移行する。一方、第２接近検出コイルで発生した信号７２に基づくものである場合、電子ペン２０の接近はコイルシート１０２の側であると判断し（Ｓ２０６：コイルシート１０２）、処理をＳ２１８に移行する。
【００６９】
Ｓ２０８でマイコン５２は、電子ペン２０の接近を検出する接近検出コイルを、コイルシート１０２の側の第２接近検出コイルに固定する。つまり、マイコン５２は、Ｓ２０４およびＳ２０６の判断において電子ペン２０の接近が既に検出されたコイルシート１０１の側の第１接近検出コイルのスキャンを停止する。そして、マイコン５２は、未だ電子ペン２０の接近が検出されていない側のコイルシート１０２の側に電子ペン２０が移動したことを検出するため、第２接近検出コイルのみをスキャンする。これによって、座標検出装置における電力消費を低減することができる。
【００７０】
続けて、Ｓ２１０でマイコン５２は、ＭＵＸ５８２に接続されたセンスコイル５４２、つまりセンスコイルＸ１〜Ｘｍと、センスコイルＹ１〜Ｙｎとを順番に選択するコイル選択信号９０を、ＭＵＸ５８２に出力し、これらを順次スキャンする。そして、マイコン５２は、電子ペン２０のＸ軸方向の位置を示すＸ座標と、Ｙ軸方向の位置を示すＹ座標とを算出する。Ｓ２０８で実行される、センスコイル５４２のスキャンと、Ｘ座標およびＹ座標の算出とは、上述した図８のＳ１０６〜Ｓ１１２と同様の処理である。したがって、その説明は省略する。
【００７１】
Ｓ２１２でマイコン５２は、Ｓ２０８で算出されたＸ座標およびＹ座標を含む座標データを、コイルシート１０１に関連付けて管理されているデータにマッピングした状態で、フラッシュメモリ６０２に保存する。つまり、マイコン５２は、今回算出されたＸ座標およびＹ座標を含む座標データを、それまでに算出され、既にコイルシート１０１に関連付けて管理されているデータに追加する。
【００７２】
Ｓ２１２を実行した後、マイコン５２は、電子ペン２０の接近がスキャンされている第２接近検出コイルにおいて、電子ペン２０の接近が検出されているかについて判断する（Ｓ２１４）。この判断は、例えば図８のＳ１０２と同様に行われる。そして、マイコン５２は、自身に解除信号８０が入力され、電子ペン２０の接近が検出された場合（Ｓ２１４：Ｙｅｓ）、処理をＳ２１８に移行する。一方、マイコン５２は、自身に解除信号８０が入力されておらず、電子ペン２０の接近が検出されていない場合（Ｓ２１４：Ｎｏ）、処理をＳ２１６に移行する。
【００７３】
Ｓ２１６でマイコン５２は、コイルシート１０１およびコイルシート１０２の両面に対して、一定時間、電子ペン２０による入力が検出されていないかについて判断する。具体的にマイコン５２は、現時点から最も直近にＳ２１２または後述するＳ２２２が実行された時間から、予め定められた一定時間Ｔが経過したかについて判断する。なお、Ｓ２１６の判断は、図８のＳ１１６と同様に行われる。例えば、Ｓ２１２またはＳ２２２が実行された場合、マイコン５２は、自身が備える計時手段から取得される、その時点の時間を例えばＲＡＭに記憶する。Ｓ２１６でマイコン５２は、このＲＡＭに記憶されている時間と現在時間とを比較し、一定時間の経過を判断する。この他、図８のＳ１１６の場合と同じく、タイマーによって、一定時間のカウントが終了しているかで判断してもよい。
【００７４】
Ｓ２１６の判断の結果、一定時間、電子ペン２０による入力が検出されていない場合（Ｓ２１６：Ｙｅｓ）、マイコン５２は、処理をＳ２２８に移行する。一方、一定時間経過していない場合（Ｓ２１６：Ｎｏ）、マイコン５２は、処理をＳ２１０に戻す。そして、マイコン５２は、上述したＳ２１０〜Ｓ２１４の各処理を繰り返して実行する。
【００７５】
Ｓ２１８でマイコン５２は、電子ペン２０の接近を検出する接近検出コイルを、コイルシート１０１の側の第１接近検出コイルに固定する。つまり、マイコン５２は、Ｓ２０４およびＳ２０６の判断において電子ペン２０の接近が既に検出されたコイルシート１０２の側の第２接近検出コイルのスキャンを停止する。そして、マイコン５２は、未だ電子ペン２０の接近が検出されていない側のコイルシート１０１の側に電子ペン２０が移動したことを検出するため、第１接近検出コイルのみをスキャンする。これによって、座標検出装置における電力消費を低減することができる。
【００７６】
Ｓ２１８を実行した後、Ｓ２２０でマイコン５２は、ＭＵＸ５８２に接続されたセンスコイル５４２、つまりセンスコイルＸ１〜Ｘｍと、センスコイルＹ１〜Ｙｎとを順番に選択するコイル選択信号９０を、ＭＵＸ５８２に出力し、これらを順次スキャンする。そして、マイコン５２は、電子ペン２０のＸ軸方向の位置を示すＸ座標と、Ｙ軸方向の位置を示すＹ座標とを算出する。Ｓ２２０で実行される、センスコイル５４２のスキャンと、Ｘ座標およびＹ座標の算出とは、Ｓ２１０の場合と同じく上述した図８のＳ１０６〜Ｓ１１２と同様の処理である。したがって、その説明は省略する。
【００７７】
続けて、Ｓ２２２でマイコン５２は、Ｓ２０８で算出されたＸ座標およびＹ座標を含む座標データを、コイルシート１０２に関連付けて管理されているデータにマッピングした状態で、フラッシュメモリ６０２に保存する。つまり、マイコン５２は、今回算出されたＸ座標およびＹ座標を含む座標データを、それまでに算出され、既にコイルシート１０２に関連付けて管理されているデータに追加する。
【００７８】
Ｓ２２２を実行した後、マイコン５２は、電子ペン２０の接近がスキャンされている第１接近検出コイルにおいて、電子ペン２０の接近が検出されているかについて判断する（Ｓ２２４）。この判断は、例えば図８のＳ１０２と同様に行われる。そして、マイコン５２は、自身に解除信号８０が入力され、電子ペン２０の接近が検出された場合（Ｓ２２４：Ｙｅｓ）、処理をＳ２０８に移行する。一方、マイコン５２は、自身に解除信号８０が入力されておらず、電子ペン２０の接近が検出されていない場合（Ｓ２２４：Ｎｏ）、処理をＳ２２６に移行する。
【００７９】
Ｓ２２６でマイコン５２は、コイルシート１０１およびコイルシート１０２の両面に対して、一定時間、電子ペン２０による入力が検出されていないかについて判断する。Ｓ２２６は、上述したＳ２１６と同様の処理である。したがって、その説明は省略する。Ｓ２２６の判断が肯定される場合（Ｓ２２６：Ｙｅｓ）、マイコン５２は、処理をＳ２２８に移行する。一方、Ｓ２２６の判断が否定される場合（Ｓ２２６：Ｎｏ）、マイコン５２は、処理をＳ２２０に戻す。そして、マイコン５２は、上述したＳ２２０〜Ｓ２２４の各処理を繰り返して実行する。
【００８０】
Ｓ２２８でマイコン５２は、座標検出装置に対し、この処理の終了が指示されているかについて判断する（Ｓ２２８）。終了は、図８のＳ１１８の場合と同じく、例えば座標検出装置の電源スイッチ（不図示）がオフされることで入力される。判断の結果、終了が指示されていない場合（Ｓ２２８：Ｎｏ）、マイコン５２は、処理をＳ２０２に戻し、上述した各処理を繰り返して実行する。一方、終了が指示されている場合（Ｓ２２８：Ｙｅｓ）、マイコン５２は、この処理を終了する。
【００８１】
図１０に示す処理によって、電子ペン２０を用いてコイルシート１０１の側に連続的に入力される情報に基づいた座標データを、コイルシート１０１の側に入力された時系列にしたがった連続的なストロークデータとして保存することができる。また、電子ペン２０を用いてコイルシート１０２の側に連続的に入力される情報に基づいた座標データを、コイルシート１０２の側に入力された時系列にしたがった連続的なストロークデータとして保存することができる。つまり、コイルシート１０１の側への入力によるストロークデータと、コイルシート１０２の側への入力によるストロークデータとを、フラッシュメモリ６０２に別々に保存し、管理することができる。
【００８２】
ところで、図９（ｃ）のようなセンスコイル５４２とＭＵＸ５８２との接続形態は、座標検出装置が備えるコイルシートの大型化にも対応することができる。つまり、コイルシート１０１とコイルシート１０２とを、１枚の大きなコイルシート１０３と見立て、２つの接近検出コイル（以下、各接近検出コイルを「第１接近検出コイル５４４Ｌ」、「第２接近検出コイル５４４Ｒ」ともいう。）を設ける。この点について、図１１および図１２を参照して説明する。なお、図１１では、センスコイル５４２’が破線で示され、第１接近検出コイル５４４Ｌおよび第２接近検出コイル５４４Ｒが実線で示されている。また、図１１および図１２に示す構成を備える座標検出装置に関し、図１１および図１２に示された接続形態以外の構成は、図２に示す座標検出装置５０と同様である。したがって、図１１および図１２に示す構成を備える座標検出装置に関し、図２と同様の構成には、図２で用いた符号と同一の符号を用いて説明する。
【００８３】
コイルシート１０３は、図１１に示すように、センスコイル５４２’を含む。センスコイル５４２’は、Ｘ軸方向に配列されたセンスコイルＬＸ１〜ＬＸｍおよびセンスコイルＲＸ１〜ＲＸｍと、Ｙ軸方向に配列されたセンスコイルＹ１〜Ｙｎとによって構成されている。センスコイルＬＸ１〜ＬＸｍおよびセンスコイルＲＸ１〜ＲＸｍはそれぞれＸ軸方向に配列された同数のコイルである。第１接近検出コイル５４４Ｌは、センスコイルＬＸ１〜ＬＸｍに対応して配置されている。第２接近検出コイル５４４Ｒは、センスコイルＲＸ１〜ＲＸｍに対応して配置されている。センスコイルＹ１〜Ｙｎは、センスコイルＬＸ１〜ＬＸｍおよびセンスコイルＲＸ１〜ＲＸｍを横断して配置されている。
【００８４】
つまり、コイルシート１０３では、Ｘ軸方向に配列されたセンスコイルが、センスコイルＬＸ１〜ＬＸｍとセンスコイルＲＸ１〜ＲＸｍとの２つのグループに分けられている。そして、センスコイルＬＸ１〜ＬＸｍおよびセンスコイルＲＸ１〜ＲＸｍでは、図１１および図１２に示すように、図９（ｃ）の場合と同じくそれぞれの出力が共通化されている。具体的に、センスコイルＬＸ１の引出線５４３ａと、センスコイルＲＸ１の引出線５４３ａとが接続され、接続された状態でＭＵＸ５８２に接続される。センスコイルＬＸｍの引出線５４３ａと、センスコイルＲＸｍの引出線５４３ａとが接続され、接続された状態でＭＵＸ５８２に接続される。また、センスコイルＬＸ１〜ＬＸｍの各引出線５４３ｂと、センスコイルＲＸ１〜ＲＸｍの各引出線５４３ｂとはグランドに接続される。なお、センスコイルＹ１〜Ｙｎについては、各引出線５４３ａがそれぞれＭＵＸ５８２に接続され、各引出線５４３ｂはグランドに接続される。
【００８５】
このような構成のコイルシート１０３によれば、２枚のコイルシートを１枚のコイルシートとして考えることが可能となる。そして、コイルシート１０３を備える座標検出装置では、図１０に基づき上述した処理と同様の処理が実行される。そのため、装置の大型化に対しても、基板面積および消費電力の増加を抑えるといったメリットを得ることができる。
【符号の説明】
【００８６】
２０  電子ペン
２２  ＬＣ発振回路
２４  先端スイッチ
５０  座標検出装置
５２  マイコン
１０１，１０２，１０３  コイルシート
５４２，Ｘ１〜Ｘｍ，Ｙ１〜Ｙｎ，５４２’，ＬＸ１〜ＬＸｍ，ＲＸ１〜ＲＸｍ  センスコイル
５４４  接近検出コイル
５４４Ｌ  第１接近検出コイル
５４４Ｒ  第２接近検出コイル
５６  接近検出回路
５８  位置検出回路
【図１】
0005533276.tif 000002
【図２】
0005533276.tif 000003
【図３】
0005533276.tif 000004
【図４】
0005533276.tif 000005
【図５】
0005533276.tif 000006
【図６】
0005533276.tif 000007
【図７】
0005533276.tif 000008
【図８】
0005533276.tif 000009
【図９】
0005533276.tif 000010
【図１０】
0005533276.tif 000011
【図１１】
0005533276.tif 000012
【図１２】
0005533276.tif 000013